(57)【要約】      （修正有）【課題】蓄電装置の電気をベルトコンベヤの故障を知らせる警報の電源や照明などの電源として使用することができる発電機能付ベルトコンベヤを提供する。【解決手段】発電機能付ベルトコンベヤは、ベルトコンベヤＡと発電装置を含み、ベルトコンベヤＡは、無端状のベルト１と、キャリヤローラ２と、リターンローラ３とで構成されている。ベルトコンベヤＡのリターン側ベルト１の裏面上側には、コンベヤフレーム４に支持された水平な支持梁７が設けてあり、支持梁７には揺動アーム８の軸９がブラケット１０を介して支持されている。揺動アーム８には、発電装置が設置され、発電装置の外周外側には、リターン側ベルト１との接触により発電装置を回転させる回転輪１３が設けられる。発電装置により発電された電気は、蓄電装置に蓄電される。【選択図】図１
0003234656.tif 000002
【実用新案登録請求の範囲】
【請求項１】
ベルトコンベヤに於けるリターン側ベルトの裏面上側に設けた水平な支持梁と、この支持梁に上位の末端側を回動自在に支持した揺動アームと、この揺動アームの下位先端に回転にともない発電する発電装置の支軸の両端を回転自在に支持するよう設けた軸受部と、上記発電装置に発電用の回転を伝達するように設けると共に、外周の一部が上記リターン側ベルトの裏面に接触するように設けた回転輪と、上記ベルトコンベヤの近辺に前記発電装置による発電電気を蓄電するように設けた蓄電装置からなることを特徴とする発電機能付ベルトコンベヤ。
【考案の詳細な説明】
【技術分野】
【０００１】  この考案は、ベルトコンベヤのベルトを案内するベルトの走行を利用して発電するようにしたベルトコンベヤに関する。
【背景技術】
【０００２】  ベルトコンベヤのベルトの走行を案内するローラの回転を用いて発電する発電機を備えたベルトコンベヤは、既に知られている（例えば、特許文献１参照）。
【先行技術文献】
【特許文献】
【０００３】
【特許文献１】特開２００３−３３３８００号公報
【考案の概要】
【考案が解決しようとする課題】
【０００４】  ところで、特許文献１の方式によるベルトコンベヤは、ベルトコンベヤのベルトの走行を案内するローラの各内部に発電機能を備えたものである。【０００５】  この方式の採用によると、コンベヤを照明する場合には、各照明装置迄配線する必要があり、また吸水用の配管を保温する保温装置に対しても保温装置までの配線が必要であり、コンベヤが長距離化する程配線距離が長くなって設置コストの増加を招くことだけでなく、これらの配線について保守・点検が面倒になるといった問題点を解消することができる。【０００６】  しかしながら、ベルトコンベヤのベルトの走行を案内する各ローラ内部（すべての各ローラでなく、１つ飛びのローラでも可能）に発電機能を備えると、大幅な設備のコストアップになる問題があった。
当然、各発電機能の数が多いために、保守点検が面倒になるという問題もあった。【０００７】  そこで、この考案は、上述の各問題点をなくするようにした発電機能付きベルトコンベヤを提供することを目的とする。
【課題を解決するための手段】
【０００８】  上記の課題を解決するために、この考案は、ベルトコンベヤに於けるリターン側ベルトの裏面上側に設けた水平な支持梁と、この支持梁に上位の末端側を回動自在に支持した揺動アームと、この揺動アームの下位先端に回転にともない発電する発電装置の支軸の両端を回転自在に支持するよう設けた軸受部と、上記発電装置に発電用の回転を伝達するように設けると共に、外周の一部が上記リターン側ベルトの裏面に接触するように設けた回転輪と、上記ベルトコンベヤの近辺に前記発電装置による発電電気を蓄電するように設けた蓄電装置からなる構成を採用する。
【考案の効果】
【０００９】  以上のように、この考案の発電機能付きのベルトコンベヤによれば、ベルトコンベヤの稼働にともないリターン側ベルトに接触する回転輪の回転によって発電装置により発電し、この発電装置の電気を蓄電装置に充電するようにしてあるので、蓄電装置の電気をベルトコンベヤの例えば各ローラの回転不能などの故障を知らせる警報の電源や同ランプなどの点灯電源以外に照明などの電源として使用することができる。【００１０】  また、発電装置の回転輪をベルトコンベヤのリターン側ベルトの裏面に接触させて発電するようにしてあるので、ベルトコンベヤの搬送物の粉体の付着のない面を回転輪の回転面として使用することができる。【００１１】  このため、ベルトの付着物（粉体）が回転輪の回転部分に侵入して、スムーズな回転を阻害することもない。【００１２】  さらに、揺動アームの下位先端に発電装置を設けてあるので、ベルトに発電装置が常に安定した状態で自重で接触する。
【図面の簡単な説明】
【００１３】
【図１】この考案の実施形態を示す一部切欠正面図である。
【図２】同上の側面図である。
【図３】同上の要部を示す一部切欠拡大正面図である。
【考案を実施するための形態】
【００１４】  次に、この考案の実施の形態を添付図面に基づいて説明する。
図１に示すＡは、ベルトコンベヤである。
【００１５】  上記のベルトコンベヤＡは、図１に示すように、前方のヘッドプーリ（図示省略）と後方のテールプーリ（図示省略）との間にかけ渡した無端状のベルト１と、このベルト１のキャリヤ側裏面全長を支承する点在的配置のトラフ形などのキャリヤローラ２と、ベルト１のリターン側表面の点在的全長を支承するリターンローラ３とで構成されている。
【００１６】  なお、上記のキャリヤローラ２は、コンベヤフレーム４に設けてあるローラスタンド５により、またリターンローラ３は、コンベヤフレーム４に設けてあるローラスタンド６に保持させてある。
【００１７】  また、ベルトコンベヤＡのリターン側ベルト１の裏面上側には、図１、２、３に示すように、コンベヤフレーム４に支持させた水平な支持梁７が設けてあり、この支持梁７には、リターン側ベルト１の走行方向に向く二列の揺動アーム８の高所側末端が軸９を介し揺動自在に支持させてある。
なお、軸９は、支持梁７のブラケット１０に保持させてある。
【００１８】  さらに、両揺動アーム８の低所側先端間に発電装置Ｂを介在して、この発電装置Ｂの中心の両側から突出する回転支軸１１の両方の端を揺動アーム８の先端に設けてある軸受１２によりフリーに回転するように支持させてある。
【００１９】  なお、上述の発電装置Ｂは、周知のように回転にともない発電するもので、周知につき説明を省略する。
【００２０】  また、発電装置Ｂの外周外側には、リターン側ベルト１の走行にともないリターン側ベルト１と外周面との接触により発電装置Ｂを回転させて発電する回転輪１３が設けてある。
【００２１】  上記の回転輪１３は、図３に示すように、筒状体１４の内周面両側から突出する外側円板１５と、この外側円板１５に重なって締付具１６により固定した発電装置Ｂの外周から突出する内側円板１７とで構成され、筒状体１４の外周全長に設けてある耐摩耗性ゴム又は高分子樹脂製などの外輪１８とで構成され、外輪１８とリターン側ベルト１との接触にともない発電装置Ｂにスムーズに回転を伝達するようにしてある。
【００２２】  さらに、発電装置Ｂにより発電された電流（電気）は、ケーブルＣを介し蓄電装置Ｄによって蓄電されるようになっている。
【００２３】  なお、蓄電装置Ｄに充電された電気は、例えばベルト１の支承ローラの回転不良の信号や火災の発生を知らせる警報などの用途に応じて使用する。
【符号の説明】
【００２４】Ａ    ベルトコンベヤ
Ｂ    発電装置
Ｃ    ケーブル
Ｄ    蓄電装置
１    ベルト
２    キャリヤローラ
３    リターンローラ
４    コンベヤフレーム
５    ローラスタンド
６    ローラスタンド
７    支持梁
８    揺動アーム
９    軸
１０  ブラケット
１１  支軸
１２  軸受
１３  回転輪
１４  筒状体
１５  外側円板
１６  締付具
１７  内側円板
１８  外輪
【図１】
0003234656.tif 000003
【図２】
0003234656.tif 000004
【図３】
0003234656.tif 000005